(57)【要約】【課題】  狭い作業スペースで使用でき、駆動工具本体と固定素子との間に変形や口径拡大などの現象が発生しない両ヘッド駆動工具を提供する。【解決手段】  一つの駆動工具本体１を有し、駆動工具本体１の両端には一つの第一枢着部１１と第二枢着部１２がそれぞれ設けてある。第一枢着部１１と第二枢着部１２には一つの連接段がそれぞれ設けてあり、各連接段には一つのワーク旋回用素子２がそれぞれ設けてある。各ワーク旋回用素子２には一つの係止溝と一つの縦方向の貫通孔とがそれぞれ設けてあり、第一枢着部１１と第二枢着部１２には一つの作業孔が開設してあり、一つの固定素子３が作業孔と貫通孔を挿通してワーク旋回用素子２を係止する。【選択図】    図１
2006192538.tif 000002
【特許請求の範囲】
【請求項１】
一つの駆動工具本体を有し、前記駆動工具本体の両端には一つの枢着部がそれぞれ設けてあり、各枢着部には一つの連接段がそれぞれ設けてあり、各連接段には一つのワーク旋回用素子がそれぞれ設けてあり、各ワーク旋回用素子には一つの係止溝と一つの縦方向の貫通孔とがそれぞれ設けてあり、駆動工具本体の枢着部には一つの作業孔が開設してあり、一つの固定素子が前記作業孔と貫通孔を挿通して前記ワーク旋回用素子を係止することを特徴とする両ヘッド駆動工具。
【請求項２】
前記作業孔の内面は、やや円錐状を呈し、各作業孔は中段が平滑で本部が膨起した歯部を持つ固定素子に合い、前記固定素子が作業孔に通じて前記ワーク旋回用素子を係止することを特徴とする請求項１に記載の両ヘッド駆動工具。
【請求項３】
前記ワーク旋回用素子は、ナットを締結するための自在スパナであることを特徴とする請求項１に記載の両ヘッド駆動工具。
【請求項４】
前記ワーク旋回用素子は、ラチェットスパナであることを特徴とする請求項１に記載の両ヘッド駆動工具。
【請求項５】
前記ワーク旋回用素子は、固定スパナであることを特徴とする請求項１に記載の両ヘッド駆動工具。
【請求項６】
前記ワーク旋回用素子は、快速スパナであることを特徴とする請求項１に記載の両ヘッド駆動工具。
【請求項７】
前記ワーク旋回用素子は、箱スパナであることを特徴とする請求項１に記載の両ヘッド駆動工具。
【請求項８】
前記ワーク旋回用素子は、六角レンチであることを特徴とする請求項１に記載の両ヘッド駆動工具。
【請求項９】
前記ワーク旋回用素子は、自在スパナと、ラチェットスパナと、固定スパナと、快速スパナと、箱スパナと、六角レンチなどのうちの何れか二種類のものを採用し、組合わせて使用してもいいことを特徴とする請求項１に記載の両ヘッド駆動工具。
【発明の詳細な説明】
【技術分野】
【０００１】
本発明は、両ヘッド駆動工具に係り、特に、両端にそれぞれ一つの連接段を有し、異なる形式のワーク旋回素子が設置された後に、多種類の用途を提供できる両ヘッド駆動工具に関するものである。
【背景技術】
【０００２】
図９に示すのは、従来の単一ヘッド駆動工具であり、駆動工具本体６の一側に一つの駆動部６１が設けてあり、前記駆動部６１に一つの固定スパナ６２が設けてあり、且つ前記駆動部６１には一つの枢着孔６３が開設してあり、これにより、一つの係止素子６４が枢着孔６３に嵌合して固定スパナ６２を係止する。上記の構造は、ナットを締める機能を有するが、前記係止素子６４の中段と固定スパナ６２との間は歯状の構造で噛合うので、図１０に示すように、組合わせるときには、係止素子６４が駆動部６１にある枢着孔６３を磨耗し、長期間で使用すると、前記係止素子６４の中段と固定スパナ６２との間は磨耗によって歯部が変形する又は破裂することがある。また、上記単一ヘッド駆動工具は必要な作業スペースがより広く、工作機械がどんどん複雑になる現在では、保全スペースが狭くなり、単一ヘッド駆動工具は狭い作業スペースで使用できないので、使用率が低減している。
【０００３】
また、図１１に示すのは、両ヘッド箱スパナであり、駆動工具本体７の両端に一つの駆動部７１が設けてあり、前記駆動部７１に一つのスリーブ７２が設けてあり、且つ前記駆動部７１には一つの枢着孔７３が開設してあり、これにより、一つの係止素子７４が枢着孔７３に嵌合してスリーブ７２を係止する。上記の構造は、ナットを締める機能を有するが、前記枢着孔７３を加工するときには、まず中心点を定位して穴あけをするので、図１２に示すように、枢着孔７３を穴あけした後に、直径が拡大し易く、且つアームが短すぎてスリーブ７２のみに使用可能であり、したがって、両ヘッド箱スパナのスリーブ７２はアームの長さの制限とボルトの寸法の多様化によりボルトを旋回できない場合がよくあり、両ヘッド箱スパナの使用率も高くない。
【発明の開示】
【発明が解決しようとする課題】
【０００４】
本発明の主な目的は、アームがより長くなり、狭い作業スペースでも使用でき、駆動工具本体と固定素子との間に変形や口径拡大などの現象が発生しない両ヘッド駆動工具を提供する。
【課題を解決するための手段】
【０００５】
上記目的を達成するためになされた本発明は、一つの駆動工具本体を有し、前記駆動工具本体の両端には一つの枢着部がそれぞれ設けてあり、各枢着部には一つの連接段がそれぞれ設けてあり、各連接段には一つのワーク旋回用素子がそれぞれ設けてあり、各ワーク旋回用素子には一つの係止溝と一つの縦方向の貫通孔とがそれぞれ設けてあり、且つ駆動工具本体の枢着部には一つの作業孔が開設してあり、一つの固定素子が前記作業孔と貫通孔を挿通して前記ワーク旋回用素子を係止することを特徴とする両ヘッド駆動工具であることを要旨としている。
【０００６】
本発明では、前記作業孔の内面はやや円錐状を呈し、且つ各作業孔は中段が平滑で本部が膨起した歯部を持つ固定素子に合い、これにより、前記固定素子が作業孔に通じて前記ワーク旋回用素子を係止することを特徴とする請求項１に記載の両ヘッド駆動工具であることを要旨としている。
【０００７】
本発明では、前記ワーク旋回用素子は、ナットを締結するための自在スパナであることを特徴とする請求項１に記載の両ヘッド駆動工具であることを要旨としている。
本発明では、前記ワーク旋回用素子は、ラチェットスパナであることを特徴とする請求項１に記載の両ヘッド駆動工具であることを要旨としている。
【０００８】
本発明では、前記ワーク旋回用素子は、固定スパナであることを特徴とする請求項１に記載の両ヘッド駆動工具であることを要旨としている。
本発明では、前記ワーク旋回用素子は、快速スパナであることを特徴とする請求項１に記載の両ヘッド駆動工具であることを要旨としている。
【０００９】
本発明では、前記ワーク旋回用素子は、箱スパナであることを特徴とする請求項１に記載の両ヘッド駆動工具であることを要旨としている。
本発明では、前記ワーク旋回用素子は、六角レンチであることを特徴とする請求項１に記載の両ヘッド駆動工具であることを要旨としている。
【００１０】
本発明では、前記ワーク旋回用素子は、自在スパナと、ラチェットスパナと、固定スパナと、快速スパナと、箱スパナと、六角レンチなどのうちの何れか二種類のものを採用し、組合わせて使用してもいいことを特徴とする請求項１に記載の両ヘッド駆動工具であることを要旨としている。
【００１１】
本発明に係る両ヘッド駆動工具によれば、次のような効果がある。
（イ）狭い作業スペースでも使用できる。
（ロ）ワーク旋回素子と固定素子との間には変形や破損などの現象が発生しない。
（ハ）係止素子が枢着部にある作業孔を挿通するときに、磨耗現象が発生しない。
【発明を実施するための最良の形態】
【００１２】
以下、添付図面を参照して本発明の好適な実施の形態を詳細に説明する。
まず、図１から図８を参照する。上記図面に示すのは、本発明で採用される実施例であり、本発明を説明するためのものであり、もちろん、本発明の特許請求範囲はこれらの構造に限定されない。
【００１３】
本発明の第一実施例による両ヘッド駆動工具は、図１に示すように、一つの駆動工具本体１を有し、前記駆動工具本体１の両端には第一枢着部１１と第二枢着部１２とがそれぞれ設けてあり、各枢着部１１、枢着部１２には一つの連接段１３がそれぞれ設けてあり、各連接段１３には一つのワーク旋回用素子２がそれぞれ設けてあり、各ワーク旋回用素子２には一つの係止溝２２と一つの縦方向の貫通孔２１とがそれぞれ設けてあり、且つ駆動工具本体１の枢着部１１、枢着部１２には一つの作業孔１４が開設してあり、本実施例では、図２に示すように、前記作業孔１４の内面はやや円錐状を呈し、且つ各作業孔１４と貫通孔２１とは中段が平滑で本部が膨起した歯部を持つ固定素子３に合い、これにより、前記固定素子３が作業孔１４と貫通孔２１を挿通して前記ワーク旋回用素子２を係止し、本実施例では、前記ワーク旋回用素子２は自在スパナである。
【００１４】
本実施例を狭い作業スペースで使用する場合には、自在スパナをナット２３の寸法に調整して、駆動工具本体１が第一枢着部１１と垂直になるように駆動工具本体１を旋回して、第二枢着部１２を旋回すると、第二枢着部１２によってナット２１を締めることができる。図３に示すように、更に第二枢着部１２にある自在スパナにロッド２４を挿入することにより、加える力がもっと大きくなり、したがって、本実施例の作業性および実用性が向上する。
【００１５】
また、駆動工具本体１は、連接段１３に取付けられた自在スパナによってナット２３を旋回する場合に、自在スパナと固定素子３との間に極めて大きい力を受ける。本実施例の貫通孔２１と固定素子３の中段との間は平滑な表面の嵌合であり、且つ係止素子の係止作用も加えるため、自在スパナと固定素子３との間には変形や口径拡大や破損などの現象が発生しない。
【００１６】
また、前記作業孔１４の内面はやや円錐状を呈し、且つ固定素子３は中段が平滑で本部が膨起した歯部を持つので、本実施例の固定素子３は作業孔１４内に容易に挿入することができ、且つ組合わせるときには、従来のもののように係止素子が駆動部にある枢着孔を磨耗することも発生しない。
【００１７】
また、図４に示すのは、本発明の第二実施例であり、当該ワーク旋回用素子２Ａはラチェットスパナを採用してもいい。そうすると、上記と同様な効果がある。
また、図５に示すのは、本発明の第三実施例であり、当該ワーク旋回用素子２Ｂは固定スパナを採用してもいい。そうすると、上記と同様な効果がある。
【００１８】
また、図６から図８を参照する。前記ワーク旋回用素子は、自在スパナと、ラチェットスパナと、固定スパナと、快速スパナと、箱スパナと、六角レンチなどのうちの何れか二種類のものを採用し、組合わせて使用してもいい。
【００１９】
このように、本発明が特定の例を参照して説明されたが、それらの例は、説明のためだけのものであり、本発明を限定するものではなく、この分野に通常の知識を有する者は、本発明の精神および範囲を逸脱することなく、ここで開示された実施例に変更、追加または削除を施してもよいことがわかる。
【図面の簡単な説明】
【００２０】
【図１】本発明の第一実施例による両ヘッド駆動工具の斜視図である。
【図２】本発明の第一実施例による両ヘッド駆動工具のワーク旋回用素子と固定素子との間の関係を示す断面図である。
【図３】本発明の第一実施例による両ヘッド駆動工具の使用状態を示す概略図である。
【図４】本発明の第二実施例による両ヘッド駆動工具を示す斜視図である。
【図５】本発明の第三実施例による両ヘッド駆動工具を示す斜視図である。
【図６】本発明の他の実施例による両ヘッド駆動工具の駆動工具本体とワーク旋回用素子を示す斜視図である。
【図７】本発明の他の実施例による両ヘッド駆動工具の駆動工具本体とワーク旋回用素子を示す斜視図である。
【図８】本発明の他の実施例による両ヘッド駆動工具の駆動工具本体とワーク旋回用素子を示す斜視図である。
【図９】従来のスパナの斜視図である。
【図１０】従来のスパナの固定スパナと係止素子との間の関係を示す断面図である。
【図１１】従来のもう一種類のスパナの斜視図である。
【図１２】従来のもう一種類のスパナの係止素子と枢着孔との間の関係を示す断面図である。
【符号の説明】
【００２１】
１  駆動工具本体、２  ワーク旋回用素子、２Ａ  ワーク旋回用素子、２Ｂ  ワーク旋回用素子、３  固定素子、１１  第一枢着部、１２  第二枢着部、１３  連接段、１４  作業孔、２１  貫通孔、２２  係止溝、２３  ナット、２４  ロッド
【図１】
2006192538.tif 000003
【図２】
2006192538.tif 000004
【図３】
2006192538.tif 000005
【図４】
2006192538.tif 000006
【図５】
2006192538.tif 000007
【図６】
2006192538.tif 000008
【図７】
2006192538.tif 000009
【図８】
2006192538.tif 000010
【図９】
2006192538.tif 000011
【図１０】
2006192538.tif 000012
【図１１】
2006192538.tif 000013
【図１２】
2006192538.tif 000014